(57)【要約】【課題】  無線基地局装置のリソースを有効に利用し、収容可能なユーザ数を増加させることが可能な無線基地局装置の提供。【解決手段】  無線基地局装置１の復号処理判定部１４はＴＦＣＩ判定部１２およびＳＦ判定部１３にて得られたＴＦＣＩおよびＳＦ判定結果を入力し、ユーザデータの設定値、ＴＦＣＩおよびＳＦ判定結果よりパケットデータの有無を判断し、パケットデータが存在する場合に受信数Ｎをカウントアップする（Ｎ＝Ｎ＋１）。また、ある一定時間（ｄ秒）内での受信数の閾値（Ｎｍａｘ）と時間の閾値（ｔ１）を予め決めておき、時間ｄ（＜ｔ１）内の受信数ＮがＮ≧Ｎｍａｘを満たした場合に、受信した上りパケットデータ有りのデータを復号部１５で破棄する。【選択図】      図１
2007013350.tif 000002
【特許請求の範囲】
【請求項１】
端末装置を制御する無線基地局装置であって、
前記端末装置からの上り信号を受信し、前記上り信号に含まれる特定ユーザのデータ受信数を一定時間ごとに計測し、その計測結果と所定閾値とを比較して前記データ受信数を制御する復号処理制御手段を含むことを特徴とする無線基地局装置。
【請求項２】
前記復号処理制御手段は前記データ受信数が前記閾値以上となった場合にそのデータを破棄することを特徴とする請求項１記載の無線基地局装置。
【請求項３】
前記復号処理制御手段は、
前記上り信号に特定ユーザが含まれるか否かを判定する特定ユーザ判定手段と、
前記特定ユーザが含まれる場合にデータの有無を判定するデータ有無判定手段と、
前記データが有る場合にそのデータ数を一定時間計測するデータ数計測手段と、
前記データ数と所定閾値とを比較する比較手段とを含み、
前記比較結果に応じて前記データ数を制御することを特徴とする請求項１または２記載の無線基地局装置。
【請求項４】
前記無線基地局装置は、さらに前記上り信号に含まれるＴＦＣＩ(Transport Format Combination Indicator)を検出するＴＦＣＩ判定手段と、検出したＴＦＣＩを用いて可変レートで送信される上り信号のＳＦ(Spreading Factor)を判定するＳＦ判定手段とを含み、
前記ＳＦごとに前記所定閾値が設定されることを特徴とする請求項１から３いずれかに記載の無線基地局装置。
【請求項５】
端末装置を制御する無線基地局装置における受信制御方法であって、
前記端末装置からの上り信号を受信し、前記上り信号に含まれる特定ユーザのデータ受信数を一定時間ごとに計測し、その計測結果と所定閾値とを比較して前記データ受信数を制御する復号処理制御ステップを含むことを特徴とする受信制御方法。
【請求項６】
前記復号処理制御ステップは前記データ受信数が前記閾値以上となった場合にそのデータを破棄することを特徴とする請求項５記載の受信制御方法。
【請求項７】
前記復号処理制御ステップは、
前記上り信号に特定ユーザが含まれるか否かを判定する特定ユーザ判定ステップと、
前記特定ユーザが含まれる場合にデータの有無を判定するデータ有無判定ステップと、
前記データが有る場合にそのデータ数を一定時間計測するデータ数計測ステップと、
前記データ数と所定閾値とを比較する比較ステップとを含み、
前記比較結果に応じて前記データ数を制御することを特徴とする請求項５または６記載の受信制御方法。
【請求項８】
前記無線基地局装置における受信制御方法は、さらに前記上り信号に含まれるＴＦＣＩ(Transport Format Combination Indicator)を検出するＴＦＣＩ判定ステップと、検出したＴＦＣＩを用いて可変レートで送信される上り信号のＳＦ(Spreading Factor)を判定するＳＦ判定ステップとを含み、
前記ＳＦごとに前記所定閾値が設定されることを特徴とする請求項５から７いずれかに記載の受信制御方法。
【請求項９】
端末装置を制御する無線基地局装置における受信制御方法の制御プログラムであって、
コンピュータに、
前記端末装置からの上り信号を受信し、前記上り信号に含まれる特定ユーザのデータ受信数を一定時間ごとに計測し、その計測結果と所定閾値とを比較して前記データ受信数を制御する復号処理制御ステップを実行させるための制御プログラム。
【請求項１０】
前記復号処理制御ステップは前記データ受信数が前記閾値以上となった場合にそのデータを破棄することを特徴とする請求項９記載の制御プログラム。
【請求項１１】
前記復号処理制御ステップは、
前記上り信号に特定ユーザが含まれるか否かを判定する特定ユーザ判定ステップと、
前記特定ユーザが含まれる場合にデータの有無を判定するデータ有無判定ステップと、
前記データが有る場合にそのデータ数を一定時間計測するデータ数計測ステップと、
前記データ数と所定閾値とを比較する比較ステップとを含み、
前記比較結果に応じて前記データ数を制御することを特徴とする請求項９または１０記載の制御プログラム。
【請求項１２】
前記無線基地局装置における受信制御方法は、前記上り信号に含まれるＴＦＣＩ(Transport Format Combination Indicator)を検出するＴＦＣＩ判定ステップと、検出したＴＦＣＩを用いて可変レートで送信される上り信号のＳＦ(Spreading Factor)を判定するＳＦ判定ステップとを含み、
前記所定閾値は前記ＳＦごとに設定されることを特徴とする請求項９から１１いずれかに記載の制御プログラム。
【発明の詳細な説明】
【技術分野】
【０００１】
本発明は、無線基地局装置およびその装置における受信制御方法ならびに制御プログラムに関し、特にリソースを有効利用するための受信制御方法に関する。
【背景技術】
【０００２】
無線基地局装置にパケット呼を割り当てた場合、パケットデータの有無に関わらず、最大レートに合わせたリソース（容量）を確保している。しかしながら、パケットの場合、常時パケットデータが存在しているわけではないため、平均レートは最大レートに比べ低くなるので、無線基地局装置のリソースを無駄に消費してしまうという課題がある。
【０００３】
パケット利用のニーズが高い中、無線基地局装置のリソースを有効に利用し、収容可能なユーザ数を増加することが望まれる。
【０００４】
一方、この種のリソース有効利用に関する発明の一例として、閾値をパケットユーザ数に基づいて補正し、その補正値を新たな閾値として回線交換およびパケット交換の新規の呼受付を規制する基地局装置が開示されている（たとえば、特許文献１参照）。
【０００５】
また、他の一例として、画像、音声のパケット多重されたデータを音声パケットと画像パケットに分離し、分離したパケットを廃棄するデータ送信装置が開示されている（たとえば、特許文献２参照）。
【０００６】
また、他の一例として、廃棄したデータの再送要求を上位システムに対して行うデータ転送装置が開示されている（たとえば、特許文献３参照）。
【０００７】
【特許文献１】特開２００２−２１７９５６号公報（段落００３９〜００４５、００５３、図３、図４）
【特許文献２】特開２００３−８７３４９号公報（段落００３１、図１）
【特許文献３】特開２００４−３５００２３号公報（段落００２７、図６）
【発明の開示】
【発明が解決しようとする課題】
【０００８】
上述したように、従来の無線基地局装置ではリソースを無駄に消費してしまうという課題がある。
【０００９】
一方、特許文献１記載の発明はパケットユーザ数に基づいて閾値を変更し、回線交換およびパケット交換の両者の新規の呼受付を規制するものである。これに対し、本発明は閾値を変更する手法によらずパケット交換等の特定ユーザの新規の呼受付を規制するものであり、特許文献１記載の発明とは構成が全く相違する。
【００１０】
また、特許文献２および３には、単にパケットの廃棄と、データの再送に関する技術が開示されているに過ぎない。
【００１１】
そこで本発明の目的は、無線基地局装置のリソースを有効に利用し、収容可能なユーザ数を増加させることが可能な無線基地局装置およびその装置における受信制御方法ならびに制御プログラムを提供することにある。
【課題を解決するための手段】
【００１２】
前記課題を解決するために、本発明による無線基地局装置は、端末装置を制御する無線基地局装置であって、前記端末装置からの上り信号を受信し、前記上り信号に含まれる特定ユーザのデータ受信数を一定時間ごとに計測し、その計測結果と所定閾値とを比較して前記データ受信数を制御する復号処理制御手段を含むことを特徴とする。
【００１３】
また、本発明による受信制御方法は、端末装置を制御する無線基地局装置における受信制御方法であって、前記端末装置からの上り信号を受信し、前記上り信号に含まれる特定ユーザのデータ受信数を一定時間ごとに計測し、その計測結果と所定閾値とを比較して前記データ受信数を制御する復号処理制御ステップを含むことを特徴とする。
【００１４】
また、本発明による制御プログラムは、端末装置を制御する無線基地局装置における受信制御方法の制御プログラムであって、コンピュータに、前記端末装置からの上り信号を受信し、前記上り信号に含まれる特定ユーザのデータ受信数を一定時間ごとに計測し、その計測結果と所定閾値とを比較して前記データ受信数を制御する復号処理制御ステップを実行させるための制御プログラムを含むことを特徴とする。
【００１５】
本発明では、特定のユーザ（たとえば、パケット呼）に対して、予め設定された時間内でのデータ有りの受信量を計測し、予め決められた閾値以上となった場合に受信データを破棄する。このように、一定区間内でのデータ受信量を平均化することにより、基地局装置で割り当てる特定ユーザへのリソース（容量）を削減し、リソース（容量）の確保の無駄を解消する。また、削減した分だけ、割り当て可能なユーザ数を増加させることが可能となる。なお、破棄したデータに関しては、上位レイヤでの再送制御が可能である。
【発明の効果】
【００１６】
本発明によれば、上記構成を含むため、無線基地局装置のリソースを有効に利用し、収容可能なユーザ数を増加させることが可能となる。
【００１７】
すなわち、本発明では予め決められた一定区間内に受信可能な最大受信数を設け、パケット呼の平均レートを意識したリソース割り当てを行うことにより、無線基地局装置内でのリソースの無駄を削減することが可能となる。
【発明を実施するための最良の形態】
【００１８】
以下、本発明の実施例について添付図面を参照しながら説明する。
【実施例１】
【００１９】
図１は本発明に係る無線基地局装置の一例の構成図である。なお、同図には便宜上受信部の構成のみを示す。送信部の構成は従来と同様である。
【００２０】
また、本発明に係る無線基地局装置の一例としてＷ−ＣＤＭＡ(Wideband-Code Division Multiple Access)システム用の無線基地局装置を示すが、これに限定されるものではなく、パケット呼の割り当てが可能なシステムであれば本発明の適用が可能である。
【００２１】
同図を参照すると、本発明に係る無線基地局装置１の一例は、無線受信部１０と、Ｒａｋｅ受信部１１と、ＴＦＣＩ(Transport Format Combination Indicator)判定部１２と、ＳＦ(Spreading Factor)判定部１３と、復号処理判定部１４と、復号部１５と、ＦＰ(Frame Protocol)生成部１６と、記憶部１７とを含み、さらに無線受信部１０に接続された受信アンテナ１８を含んでいる。
【００２２】
無線受信部１０は受信アンテナ１８を介して、図示しない端末装置からの上り信号を受信する。Ｒａｋｅ受信部１１は無線受信部１０からの信号を入力し、パス検出、逆拡散およびＲａｋｅ合成を行う。ＴＦＣＩ判定部１２はＲａｋｅ受信部１１からの信号を入力し、上り信号に含まれる受信ＴＦＣＩを検出する。ＳＦ判定部１３はＴＦＣＩ判定部１２で検出されたＴＦＣＩを用いて可変レートで送信される上り信号のＳＦを判定する。
【００２３】
復号処理判定部１４はＴＦＣＩ判定部１２およびＳＦ判定部１３にて得られたＴＦＣＩおよびＳＦ判定結果を入力し、ユーザデータの設定値（上位装置から設定される）、ＴＦＣＩおよびＳＦ判定結果よりパケットデータの有無を判断し、パケットデータが存在する場合に受信数Ｎ（Ｎは正の整数）をカウントアップする（Ｎ＝Ｎ＋１）。
【００２４】
また、ある一定時間（ｄ秒）内での受信数の閾値（Ｎｍａｘ）と時間の閾値（ｔ１）を予め決めておき、時間ｄ（＜ｔ１）内の受信数ＮがＮ≧Ｎｍａｘを満たした場合に、受信した上りパケットデータ有りのデータを復号部１５で破棄する。この時間ｄ計測用のタイマを復号処理判定部１４内に設けることが可能である。
【００２５】
また、時間ｄがｔ１以上になった場合に、時間ｄおよび受信数Ｎを初期化する。なお、廃棄したデータに関しては、上位レイヤ（あるいは上位装置）での再送制御が可能である。
【００２６】
ＦＰ生成部１６は復号部１５からの信号を入力し、ＦＰを生成して上位装置との間のインタフェース（Ｉｕｂ）へ出力する。記憶部１７には後述するプログラムが格納されている。
【００２７】
次に、無線基地局装置１の起動時およびタイマのタイムアウト時の動作について説明する。図２は無線基地局装置の起動時およびタイマのタイムアウト時の動作の一例を示すフローチャートである。
【００２８】
同図を参照すると、まず装置１を起動する（ステップＳ１）。次いで受信数（Ｎ）の初期化（Ｎ＝０）を行い（ステップＳ２）、さらにタイマを起動し（ステップＳ３）、タイマにてタイムアウト（ｄ≧ｔ１）が検出されると（ステップＳ４にて“Ｙｅｓ”の場合）、ステップＳ２に戻る。一方、タイムアウト（ｄ≧ｔ１）が検出されるまでは（ステップＳ４にて“Ｎｏ”の場合）、タイマのカウントアップが行われる。
【００２９】
すなわち、装置１を起動した後、タイマを起動し、タイムアウトを検出した時点で、受信数Ｎを初期化（Ｎ＝０）し、再度タイマを起動する動作となる。なお、タイムアウト時間（ｔ１）および受信数の閾値（Ｎｍａｘ）は予め定めておくものとする。
【００３０】
次に、本発明に係る受信制御方法について説明する。図３は本発明に係る受信制御方法の一例を示すフローチャートである。同図において、ステップＳ１１は無線受信部１０の動作を、ステップＳ１２〜Ｓ１６およびＳ１８は復号処理制御部１４の動作を、ステップＳ１７は復号部１５の動作を夫々示す。なお、Ｒａｋｅ受信部１１からＳＦ判定部１３までの動作は、ステップＳ１１とＳ１２との間に行われるが、それらのステップの図示は省略する。
【００３１】
無線基地局装置１は、端末装置からの上り信号を受信し（ステップＳ１１），逆拡散後、Ｒａｋｅ合成等を行った後、上り信号に含まれているＴＦＣＩを検出する。そして、検出したＴＦＣＩを用いて可変レートで送信される上り信号のＳＦを判定する。
【００３２】
受信した上り信号がパケット呼である場合（ステップＳ１２にて“Ｙｅｓ”の場合）、ＴＴＩ(Transmission Time Interval)中の最後のフレームの信号を受信した際に（ステップＳ１３にて“Ｙｅｓ”の場合）、ＳＦ判定で用いたＴＦＣＩ情報を基に、パケットデータの有無を検出する（ステップＳ１４）。
【００３３】
パケットデータが存在する場合は（ステップＳ１４にて“Ｙｅｓ”の場合）、受信数Ｎをカウントアップする（Ｎ＝Ｎ＋１，初期値Ｎ＝０）（ステップＳ１５）。
そして、受信数ＮがＮｍａｘ以上となった場合は（ステップＳ１６にて“Ｙｅｓ”の場合）、そのときのフレームを含むＴＴＩ分の受信データ復号部１５に破棄させる、（ステップＳ１７）。
【００３４】
これに対し、パケット呼ではない場合や（ステップＳ１２にて“Ｎｏ”の場合）、受信数ＮがＮｍａｘ未満の場合は（ステップＳ１６にて“Ｎｏ”の場合）、通常の復号処理を行う（ステップＳ１８）。
【００３５】
なお、ＴＴＩ中の最後のフレームの信号を受信しない場合（ステップＳ１３にて“Ｎｏ”の場合）、およびパケットデータが存在しない場合は（ステップＳ１４にて“Ｎｏ”の場合）、通常の復号処理を行う（ステップＳ１８）。
【００３６】
図４は本発明のパケット受信処理の概要を示す図、図５は従来のパケット受信処理の概要を示す図である。これら図４，５を用いて本発明の動作および効果について説明する。
【００３７】
まず、図５の従来例ではパケット呼に対し最大レートのリソース容量（図５の“使用リソース（容量）”参照）が割り当てられていた。このため、一例としてデータ受信数が１つあるいは２つと他に比べて少ない場合（図５の区間Ｔ４およびＴ１参照）にはリソースを無駄に消費してしまう。
【００３８】
これに対し、図４の本発明では、使用リソース（容量）は予め最大レート以下、すなわち、パケット呼の平均レートを意識したリソース割り当て量（閾値）、に設定されており、一定期間（ｔ１）ごとにデータ受信量がこの閾値を超える場合は受信データを破棄する処理が行われるため（図４の区間Ｔ３およびＴ５参照）、リソースの有効利用化が実現でき、割り当て可能なユーザ数を増加させることが可能となる。
【実施例２】
【００３９】
第１実施例ではパケットデータの有無のみに基づいてデータ数を制御したが、パケットデータの有無に加え、ＳＦも判断基準に加えることにより、ＳＦごとに閾値Ｎｍａｘを設定して、ＳＦまで意識した受信制御を実現することが可能となる。
【実施例３】
【００４０】
第３実施例は受信制御方法の制御プログラムに関するものである。前述したように、本発明に係る無線基地局装置１は記憶部１７を含んでいる（図１参照）。記憶部１７には復号処理制御部１４に受信制御方法の処理を実行させるためのプログラムが格納されている。そのプログラムは、図３にステップＳ１２〜Ｓ１６およびＳ１８で示す手順をコンピュータ（復号処理制御部１４）に実行させるためのプログラムである。
【００４１】
復号処理制御部１４は記憶部１７からそのプログラムを読み出し、そのプログラムに基づいて受信制御方法の処理を実行する。その処理の内容については既に述べたのでここでの説明は省略する。
【図面の簡単な説明】
【００４２】
【図１】本発明に係る無線基地局装置の一例の構成図である。
【図２】無線基地局装置の起動時およびタイマのタイムアウト時の動作の一例を示すフローチャートである。
【図３】本発明に係る受信制御方法の一例を示すフローチャートである。
【図４】本発明のパケット受信処理の概要を示す図である。
【図５】従来のパケット受信処理の概要を示す図である。
【符号の説明】
【００４３】
１  無線基地局装置
１０  無線受信部
１１  Ｒａｋｅ受信部
１２  ＴＦＣＩ判定部
１３  ＳＦ判定部
１４  復号処理判定部
１５  復号部
１６  ＦＰ生成部
１７  記憶部
【図１】
2007013350.tif 000003
【図２】
2007013350.tif 000004
【図３】
2007013350.tif 000005
【図４】
2007013350.tif 000006
【図５】
2007013350.tif 000007